(57)【要約】      （修正有）【課題】歩行者用マットの端部のめくれを簡単な構成で矯正することのできる歩行者用マットホルダーを提供する。【解決手段】道路上に敷設された短冊状の歩行者用マット７の長手方向の端部のめくれを矯正するための歩行者用マットホルダーであって、歩行者用マット７の長手方向の端部を介在させるための開口部２ｃを備えた断面コの字の保持部２と、保持部２の開口部２ｃと対向する側の端部から延在した下り傾斜している傾斜部３と、からなり、保持部２の上面２ａも、傾斜部３の側から開口部２ｃの側に向けて下り傾斜していることを特徴とする。【選択図】図４
0003133703.tif 000002
【実用新案登録請求の範囲】
【請求項１】
道路上に敷設された短冊状の歩行者用マットの長手方向の端部を固定すると共に、当該端部のめくれを矯正するための歩行者用マットホルダーであって、
前記歩行者用マットの長手方向の端部を介在させるための開口部を備えた断面コの字の保持部と、
前記保持部の前記開口部と対向する側の端部から延在した下り傾斜している傾斜部と、
からなり、
前記保持部の上面も、前記傾斜部の側から前記開口部の側に向けて下り傾斜している
ことを特徴とする歩行者用マットホルダー。
【請求項２】
前記開口部は、奥に向かって、前記開口部からなる空間の厚みが増していくように形成された
ことを特徴とする請求項１に記載の歩行者用マットホルダー。
【請求項３】
前記歩行者用マットホルダーの長手方向の両端には、釘若しくはねじを挿通することにより、前記歩行者用マットホルダーを道路上に固定するための孔が形成された固定部が一体に形成されている
ことを特徴とする請求項１または請求項２に記載の歩行者用マットホルダー。
【請求項４】
前記孔は、前記固定部の材質より硬質の材質で形成された環状部材が前記固定部にインサートされてなる
ことを特徴とする請求項３に記載の歩行者用マットホルダー。
【請求項５】
断面コの字の前記保持部の下側の切片は、上側の切片より、歩行者用マットが延在する方向に突出している
ことを特徴とする請求項１から請求項４の何れかに記載の歩行者用マットホルダー。
【請求項６】
前記傾斜部の下面は、前記保持部の側から下り傾斜している
ことを特徴とする請求項１から請求項５の何れかに記載の歩行者用マットホルダー。
【請求項７】
前記傾斜部の下面には、長手方向に延在した溝が形成されている
ことを特徴とする請求項６に記載の歩行者用マットホルダー。
【考案の詳細な説明】
【技術分野】
【０００１】
本考案は、道路上に敷設された短冊状の歩行者用マットの長手方向の端部のめくれを矯正し、加えて、歩行者用マットの設置及び固定を容易ならしめる歩行者用マットホルダーに関する。
【背景技術】
【０００２】
従来の歩行者用マットについて図面を用いて説明する。
【０００３】
図７は、従来の歩行者用マットの収納状態を示す斜視図である。図８は、従来の歩行者用マットを道路上に敷設した状態を示す斜視図である。
【０００４】
図７に示す通り、従来の歩行者用マットは、収納時にロール状に巻かれているため、使用時には、ロール状のフォーミングが残ってしまい、図８に示す通り、その端部にめくれが発生してしまうという問題があった。そして、このようにめくれが発生した状態で使用する場合には、歩行者が当該めくれにつまずいてしまうという危険性があった。
【０００５】
上述した問題点を解決するためには、従来、道路上に敷設する前に、歩行者用マットを一度反対面側にロールさせることによりフォーミングを除去したり、或いは、歩行者用マットの裏面と道路面とを両面テープなどで貼り付けて固定する方策がなされていた。更に、道路面が濡れていたり、凹凸が著しかったりして、両面テープによる固定が困難である場合においては、歩行者用マットの端部（めくれが発生している部分）に直接釘やねじを挿通させて固定するなどの方策がなされていた。
【０００６】
しかしながら、フォーミングを除去する場合には、道路上に敷設する前に、一度反対面側にロールさせるという手間を強いられ、利便性が悪いという問題があった。
【０００７】
また、両面テープで固定する場合には、その作業に手間を要したり、撤去時には、両面テープの糊の除去のためのメンテナンスに困難が生じたり、更には、使用時、両面テープが剥がれてしまうなどの問題があった。
【０００８】
また、直接釘やねじを挿通させて固定する場合には、歩行者用マットの損傷を招いたり、或いは、当該損傷を回避するためには、強度確保の点から、歩行者用マットの厚みを厚くしなければならず、その結果、収納時にかさばったり、厚みを厚くする分、コスト高となったりするという問題があった。
【考案の開示】
【考案が解決しようとする課題】
【０００９】
本考案は、上記課題を解決する為になされたものであり、歩行者用マットの厚みを厚くする必要がなく、且つ、歩行者用マットの端部のめくれを簡単な構成で矯正することのできる歩行者用マットホルダーの提供を課題とする。
【課題を解決するための手段】
【００１０】
請求項１に記載の考案は、道路上に敷設された短冊状の歩行者用マットの長手方向の端部を固定すると共に、当該端部のめくれを矯正するための歩行者用マットホルダーであって、前記歩行者用マットの長手方向の端部を介在させるための開口部を備えた断面コの字の保持部と、前記保持部の前記開口部と対向する側の端部から延在した下り傾斜している傾斜部と、からなり、前記保持部の上面も、前記傾斜部の側から前記開口部の側に向けて下り傾斜していることを特徴とする。
【００１１】
請求項２に記載の考案は、請求項１の考案において、前記開口部は、奥に向かって、前記開口部からなる空間の厚みが増していくように形成されたことを特徴とする。
【００１２】
請求項３に記載の考案は、請求項１または請求項２の考案において、前記歩行者用マットホルダーの長手方向の両端には、釘若しくはねじを挿通することにより、前記歩行者用マットホルダーを道路上に固定するための孔が形成された固定部が一体に形成されていることを特徴とする。
【００１３】
請求項４に記載の考案は、請求項３の考案において、前記孔は、前記固定部の材質より硬質の材質で形成された環状部材が前記固定部にインサートされてなることを特徴とする。
【００１４】
請求項５に記載の考案は、請求項１から請求項４の何れかの考案において、断面コの字の前記保持部の下側の切片は、上側の切片より、歩行者用マットが延在する方向に突出していることを特徴とする。
【００１５】
請求項６に記載の考案は、請求項１から請求項５の何れかの考案において、前記傾斜部の下面は、前記保持部の側から下り傾斜していることを特徴とする。
【００１６】
請求項７に記載の考案は、請求項６の考案において、前記傾斜部の下面には、長手方向に延在した溝が形成されていることを特徴とする。
【考案の効果】
【００１７】
本考案は、上記の構成としたことにより、以下の効果を奏する。
【００１８】
請求項１の考案によれば、開口部に歩行者用マットの長手方向の端部を挿入して、当該開口部に当該端部を介在させることにより、歩行者用マットホルダーの自重により、当該端部のめくれを矯正することができる。
【００１９】
また、歩行者用マットが延在する方向において、歩行者用マットホルダーの上面はその前後ともに傾斜面（いわゆるスロープ）を備えているため、道路上に段差が発生せず、歩行者がつまずいてしまうということもない。
【００２０】
請求項２の考案によれば、開口部からなる空間の最奥部の厚みまでの任意の厚みの歩行者用マットの端部のめくれの矯正に使用することができる。すなわち、当該最奥部の厚みより薄い歩行者用マットに使用する際には、保持部の上側の切片の先端が自重により歩行者用マットに当接して使用されるため、様々な厚みの歩行者用マットに対し使用できる。
【００２１】
請求項３の考案によれば、歩行者用マットホルダーを道路上に固定することにより、歩行者用マットを道路上に安定して敷設することができる。すなわち、歩行者用マットホルダーは、歩行者用マットの端部を保持するためのものであるため、歩行者用マットのように、収納時にロール状にしなければならないものではない。従って、歩行者用マットと比較して、厚みを厚くすることができ、固定用の孔を形成したとしても、強度上の問題は生じない。
【００２２】
請求項４の考案によれば、孔を形成する部分をより高強度にできるため、孔の部分が破断したりすることを抑止できる。
【００２３】
請求項５の考案によれば、歩行者用マットを開口部から挿入する際に、保持部の上側の切片のみを容易に持ち上げることができるので、歩行者用マットを挿入しやすく、利便性が向上する。
【００２４】
請求項６の考案によれば、傾斜部の先端が反りなどにより浮き上がってしまうことを抑止できるため、歩行者がつまずいたりすることもない。
【００２５】
請求項７の考案によれば、下面が傾斜している傾斜部が道路面に沿う際に、溝の部分が変形し、傾斜部の変形を吸収することができる。
【考案を実施するための最良の形態】
【００２６】
実施の形態１．
以下、本考案に係る歩行者用マットホルダーの一実施形態について、図面を用いて説明する。
【００２７】
図１は本考案の一実施形態に係る歩行者用マットホルダーを示した斜視図である。図２は、図１に示す矢印Ｔ方向から見た上面図である。図３は、図１に示す矢印Ｓ方向から見た側面図である。図４は、図２に示すＩ−Ｉ断面図、図５は、図２に示すII−II断面図である。図６は、本考案の一実施形態に係る歩行者用マットホルダーの使用状態を示す断面図である。
【００２８】
図１〜図６において、１は本実施形態に係る歩行者用マットホルダーである。
【００２９】
以下、歩行者用マットホルダー１の形状について説明する。
【００３０】
２は保持部であり、上側の切片２ａ、下側の切片２ｂを有し、断面コの字に形成されることにより、歩行者用マット７の端部が挿入される開口部２ｃを備えている。本実施形態における保持部２は、硬度（ＨｓＡ）４０°〜７０°、より好ましくは硬度（ＨｓＡ）５０°〜６０°の天然ゴムを成形してなる。また、その大きさは、長手方向が５００ｍｍ〜１０００ｍｍ、短手方向が８０ｍｍ〜１００ｍｍ、厚みが１５ｍｍ〜３０ｍｍである。なお、このような材質、寸法は適宜設計変更可能であることは言うまでもない。
【００３１】
保持部２の上側の切片２ａは、その上面が、傾斜部３の側から下り傾斜して形成されている。
【００３２】
また、開口部２ｃは、奥に向かって、開口部２ｃからなる空間の厚みが増していくように形成されている。
【００３３】
さらに、上側の切片２ａと比して、下側の切片２ｂは、その先端が、歩行者用マット７が延在する方向に所定の長さ（本実施形態では１０ｍｍ〜２０ｍｍ）突出している。
【００３４】
３は傾斜部であり、保持部２の開口部２ｃと対向する側の端部から、その上面が下り傾斜しつつ、保持部２と一体に成形されている。本実施形態における傾斜部３は、保持部２と同一の材質であり、その大きさは、長手方向が保持部２と同一、短手方向が４０ｍｍ〜７０ｍｍである。なお、このような材質、寸法は適宜設計変更可能であることは言うまでもない。
【００３５】
また、傾斜部３の下面３ａは、保持部２の側から下り傾斜しつつ、長手方向に延在する溝３ｂを複数有している。なお、溝３ｂの形状、個数などは適宜設計変更可能である。
【００３６】
４は固定部であり、歩行者用マットホルダー１の長手方向の両端に位置し、保持部２及び傾斜部３と一体に成形されている。固定部４の略中心には、釘若しくはねじを挿通することにより、歩行者用マットホルダー１を道路上に固定するための孔４ａが形成されている。本実施形態における固定部４は、保持部２及び傾斜部３と同一の材質であり、その大きさは、歩行者用マットホルダー１の長手方向において３０ｍｍ〜５０ｍｍ、短手方向において７０ｍｍ〜９０ｍｍ、厚みが１０ｍｍ〜２０ｍｍである。なお、このような材質、寸法は適宜設計変更可能であることは言うまでもない。
【００３７】
なお、本実施形態では、孔４ａは、穴径を約５ｍｍとし、保持部４に金属や樹脂或いは保持部４より硬質のゴムで形成された環状部材５が保持部４にインサート固定されることにより形成されている。
【００３８】
６は、保持部２及び傾斜部３の上面に複数設けられた突起であり、歩行者が歩行者用マットホルダー１の上を通行する際の滑り止めとして機能するものである。
【００３９】
以下、本実施形態にかかる歩行者用マットホルダー１の使用方法について説明する。
【００４０】
まず、ロール状に巻かれて収納されていた歩行者用マット７（例えば、図７参照）を道路上に敷設する。この時、歩行者用マット７は、収納状態にロール状に巻かれていたため、そのフォーミングが残り、端部にめくれが発生している（例えば、図８参照）。このままでは、歩行者は当該めくれにつまずいてしまう危険性があるため、歩行者用マットホルダー２により、当該めくれを矯正する。
【００４１】
具体的には、保持部２の上側の切片２ａの先端を持ち上げ、開口部２ｃの入り口を広げた状態で、歩行者用マット７の端部を開口部２ｃの内部に挿入し、奥まで差し込めば良い。
【００４２】
なお、歩行者用マットホルダー１の開口部２ｃに挿入可能な歩行者用マットホルダー７としては、その厚みが、開口部２ｃの最奥部の厚みより小さいものであれば良い。
【００４３】
すなわち、開口部２ｃの最奥部の厚みより薄い歩行者用マット７を挿入して使用する際には、歩行者用マット７を開口部２ｃの最奥部まで差し込んだ状態において、保持部２の上側の切片２ａがその自重により沈み込み、開口部２ｃに介在された歩行者用マット７に当接することになる。
【００４４】
その後、歩行者用マット７の端部を開口部２ｃに介在した状態において、固定部４の孔４ａに釘若しくはねじを挿入し、道路上に打ち込むことにより、歩行者者用マットホルダー１は道路上に固定され、延いては、歩行者用マット７が道路上に固定され、位置ずれなどの発生を防止できる。
【００４５】
なお、傾斜部３は、その先端が先細りとなっており、成形時の反りなどにより、その先端が道路面に沿わないこともある。
【００４６】
しかしながら、本実施形態にかかる歩行者用マットホルダー１においては、その傾斜部３の下面３ａを上述した通り、下り傾斜に形成している。よって、道路上に、歩行者用マットホルダー１を載置した際、その自重により、当該下面３ａが変形することにより、反りを吸収することができ、その結果、道路面に沿った状態で載置することが可能となる。
【００４７】
加えて、溝３ｂを備えていることにより、下面３ａの変形を溝３ｂで吸収できるため、当該変形を促進でき、道路面により沿いやすくなる。
【００４８】
以上、本実施形態にかかる歩行者用マットホルダー１の形状並びに使用方法について説明したが、以下、本実施形態にかかる歩行者用マットホルダー１の奏する格別の効果について、纏めて説明する。
【００４９】
開口部２ｃに歩行者用マット７の長手方向の端部を挿入して、当該開口部２ｃに当該端部を介在させることにより、歩行者用マットホルダー１の自重により、当該端部のめくれを矯正することができる。
【００５０】
また、歩行者用マット７が延在する方向において、歩行者用マットホルダー１の上面はその前後ともに傾斜面（いわゆるスロープ）を備えているため、道路上に段差が発生せず、歩行者がつまずいてしまうということもない。
【００５１】
開口部２ｃからなる空間の最奥部の厚みまでの任意の厚みの歩行者用マット７の端部のめくれの矯正に使用することができる。すなわち、当該最奥部の厚みより薄い歩行者用マット７に使用する際には、保持部２の上側の切片２ａの先端が自重により歩行者用マット７に当接して使用されるため、様々な厚みの歩行者用マット７に対し使用できる。
【００５２】
歩行者用マットホルダー１を道路上に固定することにより、歩行者用マット７を道路上に安定して敷設することができる。すなわち、歩行者用マットホルダー１は、歩行者用マット７の端部を保持するためのものであるため、歩行者用マット７のように、収納時にロール状にしなければならないものではない。従って、歩行者用マット７と比較して、厚みを厚くすることができ、固定用の孔４ａを形成したとしても、強度上の問題は生じない。
【００５３】
さらに、孔４ａを形成する部分を、高強度（硬質）な環状部材５により形成しているため、孔４ａの部分が破断したりすることを確実に防止できる。
【００５４】
歩行者用マット７を開口部２ｃから挿入する際に、保持部２の上側の切片２ａのみを容易に持ち上げることができるので、歩行者用マット７を挿入しやすく、利便性が向上する。
【００５５】
傾斜部３の先端が反りなどにより浮き上がってしまうことを抑止できるため、歩行者がつまずいたりすることもない。
【００５６】
傾斜部３が道路面に沿う際に、溝３ｂの部分が変形し、傾斜部３の変形を吸収することができる。
【図面の簡単な説明】
【００５７】
【図１】本考案の一実施形態に係る歩行者用マットホルダーを示した斜視図である。
【図２】図１に示す矢印Ｔ方向から見た上面図である。
【図３】図１に示す矢印Ｓ方向から見た側面図である。
【図４】図２に示すＩ−Ｉ断面図である。
【図５】図２に示すII−II断面図である。
【図６】本考案の一実施形態に係る歩行者用マットホルダーの使用状態を示す断面図である。
【図７】従来の歩行者用マットの収納状態を示す斜視図である。
【図８】従来の歩行者用マットを道路上に敷設した状態を示す斜視図である。
【符号の説明】
【００５８】
１  歩行者用マットホルダー
２  保持部
２ａ  保持部の下側の切片
２ｂ  保持部の上側の切片
２ｃ  開口部
３  傾斜部
３ａ  傾斜部の下面
３ｂ  溝
４  固定部
４ａ  孔
５  環状部材
７  歩行者用マット
【図１】
0003133703.tif 000003
【図２】
0003133703.tif 000004
【図３】
0003133703.tif 000005
【図４】
0003133703.tif 000006
【図５】
0003133703.tif 000007
【図６】
0003133703.tif 000008
【図７】
0003133703.tif 000009
【図８】
0003133703.tif 000010